(57)【特許請求の範囲】
【請求項１】
魚介類の形状をした本体と、
この本体内に軸支され、一端を前記本体の外に、他端を前記本体内に位置するシーソー部材と、
このシーソー部材の前記一端に形成された環状部と、
前記本体内に設けられた駆動源と、
この駆動源によって回転する回転軸と、
この回転軸に接続され、遊技面に当接する回転体と、
前記回転軸に接続され、前記シーソー部材の軸支された部位と前記シーソー部材の他端との間の部位又は前記シーソー部材の他端に係止して、前記回転軸の回転を阻止する規制部材とを備え、
前記回転軸は、前記遊技面に対して略垂直方向に設けられ、
前記本体の平面視において、前記本体の中心から前記回転軸が偏位した位置にあり、
前記回転軸の先端は、前記本体より突出し、
前記回転軸の先端に平板状の回転体が取り付けられている
ことを特徴とする釣りおもちゃ。
【請求項２】
魚介類の形状をした本体と、
この本体内に軸支され、一端を前記本体の外に、他端を前記本体内に位置するシーソー部材と、
このシーソー部材の前記一端に形成された環状部と、
前記本体内に設けられた駆動源と、
この駆動源によって回転する回転軸と、
この回転軸に接続され、遊技面に当接する回転体と、
前記回転軸に接続され、前記シーソー部材の軸支された部位と前記シーソー部材の他端との間の部位又は前記シーソー部材の他端に係止して、前記回転軸の回転を阻止する規制部材とを備え、
前記本体は、魚の形状を有し、
前記回転軸は、前記遊技面に対して略水平方向に設けられ、
前記回転体は、前記回転軸の中途に複数設けられ、
前記回転軸の両端に、前記遊技面に当接しないようにそれぞれひれが設けられ、
前記本体の後部より突出し揺動自在に尾びれが設けられ、
前記回転軸と前記尾びれにそれぞれ接続される伝達部材を設けて、この伝達部材を介して前記尾びれを揺動させる
ことを特徴とする釣りおもちゃ。
【請求項３】
魚介類の形状をした本体と、
この本体内に軸支され、一端を前記本体の外に、他端を前記本体内に位置するシーソー部材と、
このシーソー部材の前記一端に形成された環状部と、
前記本体内に設けられた駆動源と、
この駆動源によって回転する回転軸と、
この回転軸に接続され、遊技面に当接する回転体と、
前記回転軸に接続され、前記シーソー部材の軸支された部位と前記シーソー部材の他端との間の部位又は前記シーソー部材の他端に係止して、前記回転軸の回転を阻止する規制部材とを備え、
前記本体は、カニの形状を有し、
前記回転軸は、前記遊技面に対して略水平方向に設けられ、
前記回転体は、前記回転軸の中途に複数設けられ、
前記回転体の中心より偏位した位置に第１の突出部が設けられ、
前記本体の上方コーナーより突出し揺動自在にカニの爪が設けられ、
前記本体内の前記回転軸の長手方向に略平行な第２の突出部が設けられ、
前記本体内に移動体が設けられ、
この移動体には、前記本体の両側よりカニの足が、前記本体の頂部よりカニの目が、それぞれ突出すると共に、前記カニの爪に接続される伝達部が設けられ、
前記移動体には、平坦な前記遊技面に沿って長い横長穴と、この横長穴より上方に位置すると共に、前記横長穴に対して略垂直方向に長い縦長穴と、がそれぞれ設けられ、
前記横長穴に第１の突出部が、前記縦長穴に第２の突出部が、それぞれ係止し、前記回転軸の回転を前記第１の突出部を介して前記移動体に伝達すると共に、前記移動体の移動を前記縦長穴で規制して、前記移動体を前記横長穴に対して略垂直方向に上下方向に移動させる
ことを特徴とする釣りおもちゃ。
【発明の詳細な説明】
【技術分野】
【０００１】
本発明は、釣りおもちゃに係り、特に、釣り体験遊戯のおもしろさを増幅させることができる釣りおもちゃに関する。
【背景技術】
【０００２】
従来、静止状態で浮いている魚釣りおもちゃを釣り上げて遊ぶ玩具がある（例えば、特許文献１参照）。
この玩具は、吊り上げ時、尾ひれを揺動させて吊り上げ時の臨場感を楽しむことができる。
【先行技術文献】
【特許文献】
【０００３】
【特許文献１】実用新案登録第３０１３４５４号公報
【発明の概要】
【発明が解決しようとする課題】
【０００４】
しかしながら、上述した玩具にあっては、水面を漂うだけで、逃げ回ることがないため、釣り体験遊戯のおもしろさの点で物足りないという問題点があった。
【０００５】
本発明は、前記問題点を考慮してなされたもので、釣り体験遊戯のおもしろさを増幅させることができる釣りおもちゃを提供することを目的とする。
【課題を解決するための手段】
【０００８】
請求項１記載の釣りおもちゃは、魚介類の形状をした本体と、この本体内に軸支され、一端を前記本体の外に、他端を前記本体内に位置するシーソー部材と、このシーソー部材の前記一端に形成された環状部と、前記本体内に設けられた駆動源と、この駆動源によって回転する回転軸と、この回転軸に接続され、遊技面に当接する回転体と、前記回転軸に接続され、前記シーソー部材の軸支された部位と前記シーソー部材の他端との間の部位又は前記シーソー部材の他端に係止して、前記回転軸の回転を阻止する規制部材とを備え、前記回転軸は、前記遊技面に対して略垂直方向に設けられ、前記本体の平面視において、前記本体の中心から前記回転軸が偏位した位置にあり、前記回転軸の先端は、前記本体より突出し、前記回転軸の先端に平板状の回転体が取り付けられているものである。
【０００９】
また、請求項２記載の釣りおもちゃは、魚介類の形状をした本体と、この本体内に軸支され、一端を前記本体の外に、他端を前記本体内に位置するシーソー部材と、このシーソー部材の前記一端に形成された環状部と、前記本体内に設けられた駆動源と、この駆動源によって回転する回転軸と、この回転軸に接続され、遊技面に当接する回転体と、前記回転軸に接続され、前記シーソー部材の軸支された部位と前記シーソー部材の他端との間の部位又は前記シーソー部材の他端に係止して、前記回転軸の回転を阻止する規制部材とを備え、前記本体は、魚の形状を有し、前記回転軸は、前記遊技面に対して略水平方向に設けられ、前記回転体は、前記回転軸の中途に複数設けられ、前記回転軸の両端に、前記遊技面に当接しないようにそれぞれひれが設けられ、前記本体の後部より突出し揺動自在に尾びれが設けられ、前記回転軸と前記尾びれにそれぞれ接続される伝達部材を設けて、この伝達部材を介して前記尾びれを揺動させるものである。
【００１０】
また、請求項３記載の釣りおもちゃは、魚介類の形状をした本体と、この本体内に軸支され、一端を前記本体の外に、他端を前記本体内に位置するシーソー部材と、このシーソー部材の前記一端に形成された環状部と、前記本体内に設けられた駆動源と、この駆動源によって回転する回転軸と、この回転軸に接続され、遊技面に当接する回転体と、前記回転軸に接続され、前記シーソー部材の軸支された部位と前記シーソー部材の他端との間の部位又は前記シーソー部材の他端に係止して、前記回転軸の回転を阻止する規制部材とを備え、前記本体は、カニの形状を有し、前記回転軸は、前記遊技面に対して略水平方向に設けられ、前記回転体は、前記回転軸の中途に複数設けられ、前記回転体の中心より偏位した位置に第１の突出部が設けられ、前記本体の上方コーナーより突出し揺動自在にカニの爪が設けられ、前記本体内の前記回転軸の長手方向に略平行な第２の突出部が設けられ、前記本体内に移動体が設けられ、この移動体には、前記本体の両側よりカニの足が、前記本体の頂部よりカニの目が、それぞれ突出すると共に、前記カニの爪に接続される伝達部が設けられ、前記移動体には、平坦な前記遊技面に沿って長い横長穴と、この横長穴より上方に位置すると共に、前記横長穴に対して略垂直方向に長い縦長穴と、がそれぞれ設けられ、前記横長穴に第１の突出部が、前記縦長穴に第２の突出部が、それぞれ係止し、前記回転軸の回転を前記第１の突出部を介して前記移動体に伝達すると共に、前記移動体の移動を前記縦長穴で規制して、前記移動体を前記横長穴に対して略垂直方向に上下方向に移動させるものである。
【発明の効果】
【００１２】
請求項１記載の釣りおもちゃによれば、環状部に釣り糸の先端の針が当たると、シーソー部材の他端と規制部材との係止状態が解除され、回転軸の回転が回転体に伝達される。
その結果、釣りおもちゃが動きだして逃げ回るため、釣り糸の先端の針を環状部に引っかけることが容易でなく、釣り体験遊戯のおもしろさを増幅させることができ、
また、本体の平面視において、本体の中心から回転軸が偏位した位置にあるため、釣りおもちゃが遊技面上を回転しながら不規則な動きをし、釣り体験遊戯のおもしろさをより一層得ることができる。 
【００１３】
また、請求項２記載の釣りおもちゃによれば、環状部に釣り糸の先端の針が当たると、シーソー部材の他端と規制部材との係止状態が解除され、回転軸の回転が回転体に伝達される。
その結果、釣りおもちゃが動きだして逃げ回るため、釣り糸の先端の針を環状部に引っかけることが容易でなく、釣り体験遊戯のおもしろさを増幅させることができ、
また、釣りおもちゃが回転体により動きだして逃げ回る際、魚の尾びれのみならず、本体の側方に設けた２つの魚のひれも動くため、釣り体験遊戯のおもしろさをより一層得ることができる。
【００１４】
また、請求項３記載の釣りおもちゃによれば、環状部に釣り糸の先端の針が当たると、シーソー部材の他端と規制部材との係止状態が解除され、回転軸の回転が回転体に伝達される。
その結果、釣りおもちゃが動きだして逃げ回るため、釣り糸の先端の針を環状部に引っかけることが容易でなく、釣り体験遊戯のおもしろさを増幅させることができ、
また、釣りおもちゃが回転体により動きだして逃げ回る際、本体の両側より突出する２つのカニの足、本体の頂部より突出するカニの目及び本体の上方コーナーより突出するカニの爪がそれぞれ動くため、釣り体験遊戯のおもしろさをより一層得ることができる。
【図面の簡単な説明】
【００１５】
【図１】図１は、本発明の一実施例の釣りおもちゃの概略的正面図である。
【図２】図２は、図１の概略的断面図である。
【図３】図３は、図２の３−３線による概略的断面図である。
【図４】図４は、図１の釣りおもちゃを分解して示す概略的斜視図である。
【図５】図５は、図１の釣りおもちゃの本体の内部構造の概略的斜視図である。
【図６】図６は、図５の釣りおもちゃのシーソー部材の他端と規制部材との係止状態が解除された状態を示す概略的斜視図である。
【図７】図７は、図６の概略的断面図である。
【図８】図８は、図１の釣りおもちゃと異なる他の実施例の釣りおもちゃの概略的平面図である。
【図９】図９は、図８の概略的正面図である。
【図１０】図１０は、図８の釣りおもちゃを分解して示す概略的分解図である。
【図１１】図１１は、図８の釣りおもちゃの上面側半割部材を取り除いた状態の概略的平面図である。
【図１２】図１２は、図１０の一部である駆動機構の部分の概略的平面図である。
【図１３】図１３は、図１２の概略的正面図である。
【図１４】図１４は、図１２の１４−１４線による概略的断面図である。
【図１５】図１５は、図１２の１５−１５線による概略的断面図である。
【図１６】図１６は、図８の釣りおもちゃの使用状態の概略的正面図である。
【図１７】図１７は、図１６の釣りおもちゃが動き出す状態の概略的正面図である。
【図１８】図１８は、図１６の釣りおもちゃが動き出し、尾びれが揺動する状態の概略的平面図である。
【図１９】図１９は、図１８の釣りおもちゃの尾びれの揺動する一状態を示す概略的正断面図である。
【図２０】図２０は、図１８の釣りおもちゃの尾びれの揺動する一状態を示す概略的正断面図である。
【図２１】図２１は、図１８の釣りおもちゃが吊り上げる前の状態を示す概略的正面図である。
【図２２】図２２は、図１６の釣りおもちゃが吊り上げられ、遊技面より離間しようとする状態を示す概略的正面図である。
【図２３】図２３は、図１６の釣りおもちゃが吊り上げられた状態を示す概略的正面図である。
【図２４】図２４は、図８の釣りおもちゃと異なる他の実施例の釣りおもちゃの概略的正面図である。
【図２５】図２５は、図２４の釣りおもちゃを分解して示す概略的分解斜視図である。
【図２６】図２６は、図２４の釣りおもちゃの前面側半割部材を取り除いて示す概略的正面図である。
【図２７】図２７は、図２６の釣りおもちゃの移動体を取り除いて示す概略的正面図である。
【図２８】図２８は、図２４の釣りおもちゃのシーソー部材が規制部材により回転軸の動きを規制している状態の概略的図である。
【図２９】図２９は、図２８のシーソー部材と規制部材との係止状態が解除された状態の概略的図である。
【図３０】図３０は、図２６の移動体の動きの一状態を示す概略的図である。
【図３１】図３１は、図２６の移動体の動きの一状態を示す概略的図である。
【図３２】図３２は、図２６の移動体の動きの一状態を示す概略的図である。
【発明を実施するための形態】
【００１６】
本発明の一実施例の釣りおもちゃを図面を参照して説明する。
（実施例１）
図１乃至図７に示すＴは釣りおもちゃで、釣りおもちゃＴは、魚介類の形状をした本体１、シーソー部材２、回転体３を備えている。
本体１は、例えば、たこの形状を有しており、前面側半割部材１１と背面側半割部材１２を突き合わせて構成している（図４参照）。
シーソー部材２は、本体１内に軸支され、一端を本体１の外に、他端を本体１内に位置し、常時は、他端２Ｂの側へ傾くように構成されている。シーソー部材２の一端には、環状部（リング）２ａが形成されている。この環状部２ａは、釣り糸の先端の針４（図７参照）に係止する部位である。
【００１７】
また、図２〜図４に示す５は回転軸で、回転軸５は、本体１内に設けられた駆動源によって回転するもので、駆動源は、モータでも良いが、本実施例では、例えば、ゼンマイバネで、ゼンマイバネによる反発力を利用してギヤを介して回転力を回転軸５に伝達している。
なお、ゼンマイバネ、ギヤ等は後述する実施例２と同様なもので、ボックスＢ内に設けられている。６は、ゼンマイバネを巻く摘みであり、６ａは、ゼンマイバネを巻く軸である。
【００１８】
また、回転軸５は、図２に示すように、遊技面（例えば、テーブル、机、床等）７に対して略垂直方向に設けられ、本体１の平面視において、本体１の中心から回転軸５が偏位した位置にある（図３参照）。    そして、回転軸５の先端は、本体１より突出し、回転軸５の先端に平板状の回転体３が取り付けられている。この回転体３は、遊技面７に当接し、遊技面７上を回転しながら不規則な動きをし、釣り体験遊戯のおもしろさをより一層得るようにしている。 
【００１９】
また、８は規制部材（ストッパー）で、規制部材８は、回転軸５に接続され、シーソー部材２の軸支された部位２Ａとシーソー部材の他端２Ｂとの間の部位（本実施例では、２Ｃ）に係止して、回転軸５の回転を阻止するようになっている。２Ｃは、規制部材８の被係止部８Ｃに係止する。
なお、図４に示す１３は、ボックスＢを支持する支持部材であり、１４は、タコの手である。
【００２０】
従って、上述した釣りおもちゃＴによれば、環状部２ａに釣り糸の先端の針７が当たると、図５の状態から図６の状態、つまり、シーソー部材２のシーソー部材２の軸支された部位２Ａとシーソー部材の他端２Ｂとの間の部位２Ｃと規制部材８の被係止部８Ｃとの係止状態が解除され、回転軸５の回転が回転体３に伝達される。
その結果、釣りおもちゃＴが動きだして逃げ回るため、釣り糸の先端の針７を環状部２に引っかけることが容易でなく、釣り体験遊戯のおもしろさを増幅させることができる。 
【００２１】
（実施例２）
次に示す実施例は、釣りおもちゃＴを魚の形状に適用したものである（図８〜図２３参照）。
釣りおもちゃＴは、実施例１と同様に、魚介類の形状（本実施例では、魚の形状）をした本体１、シーソー部材２、回転体３を備えている。
本体１は、例えば、魚の形状を有しており、上面側半割部材１１’と下面側半割部材１２’を突き合わせて構成している。
シーソー部材２は、本体１内に軸支され、一端を本体１の外に、他端を本体１内に位置し、常時は、他端の側へ傾くように構成されている。シーソー部材２の一端には、環状部（リング）２ａが形成されている。この環状部２ａは、釣り糸の先端の針４（図１６、図２２及び図２３参照）に係止する部位である。
【００２２】
また、図１４、図１６、図１７、図１９、図２０、図２２及び図２３に示す５は回転軸で、回転軸５は、本体１内に設けられた駆動源によって回転するもので、駆動源は、モータでも良いが、本実施例では、例えば、図１５に示すゼンマイバネＺで、ゼンマイバネＺによる反発力を利用してギヤＧ（第１のギヤＧ１、第２のギヤＧ２、第３のギヤＧ３、第４のギヤＧ４）を介して回転力を回転軸５に伝達している。
なお、ゼンマイバネＺ、ギヤＧ等はボックスＢ内に設けられている。また、ゼンマイバネＺの戻り力は第１のギヤＧ１、第２のギヤＧ２、第３のギヤＧ３を介して減速され、回転軸５に伝達されるようになっている。また、第４のギヤＧ４は、第３のギヤＧ３に噛み合って回転し、第４のギヤＧ４の上部に位置する揺動自在に支持された係合爪１００を弾いて抵抗を与えるようにして、第４のギヤＧ４の回転を押さえ、ゼンマイバネＺの戻ろうとするバネの速度調整を図るようにしている。
また、Ｚ１は、ゼンマイバネＺの一端で、該 一端Ｚ１をボックスＢの開口縁部に係止させている。６は、ゼンマイバネを巻く摘みであり、６ａは、ゼンマイバネを巻く軸である。
【００２３】
また、回転軸５は、図１６及び図１７に示すように、平坦な遊技面（例えば、テーブル、机、床等）７に対して略水平方向に設けられ、回転軸５の中途に回転体（例えば、車輪）３が複数設けられ、更に、回転軸５の両端に、遊技面７に当接しないようにそれぞれひれ３’、３’が設けられている。
また、本体１の後部より尾びれ５０が突出し、尾びれ５０は本体１内で支持され、揺動自在に設けられている。
また、図１８乃至図２０に示すように、回転軸５と尾びれ５０にそれぞれ接続される伝達部材５１を設けて、この伝達部材５１を介して尾びれ５０を揺動させるようにしている。 
即ち、伝達部材５１と回転軸５とは、回転軸５に偏心して取り付けられた回転体Ｅの外周に伝達部材５１の一方の端部に形成された略逆Ｕ字状部５１ａを当接させて接続している。また、伝達部材５１と尾びれ５０とは、尾びれ５０の孔５０ｂに伝達部材５１の他方の端部に形成された立設部５１ｂを通して接続し、尾びれ５０の揺動の支点をＡ’とし、Ｂ’を尾びれ５０の揺動の作用点として、尾びれ５０を揺動させている。なお、図１９及び図２０に示すＯ−Ｏ’は、回転軸５の中心を表している。
【００２４】
また、図１６及び図１７に示す８は規制部材（ストッパー）で、規制部材８は、回転軸５に接続され、シーソー部材２の軸支された部位２Ａとシーソー部材２の他端２Ｂに係止して、回転軸５の回転を阻止するようになっている。他端２Ｂは、規制部材８の被係止部８Ｂに係止する。
【００２５】
従って、上述した釣りおもちゃＴによれば、環状部２ａに釣り糸の先端の針７が当たると、図１６の状態から図１７の状態、つまり、シーソー部材２の他端２Ｂと規制部材８の被係止部８Ｂとの係止状態が解除され、回転軸５の回転が回転体３に伝達される。
その結果、釣りおもちゃＴが図１７に示す方向へ動きだして逃げ回るため、釣り糸の先端の針７を環状部２ａに引っかけることが容易でなく、釣り体験遊戯のおもしろさを増幅させることができる。 
また、釣りおもちゃＴが回転体３により動きだして逃げ回る際、魚の尾びれ５０のみならず、本体１の側方に設けた２つの魚のひれ３’、３’も動くため、釣り体験遊戯のおもしろさをより一層得ることができる。
また、釣り糸の先端の針７が環状部２ａに係止して吊り上げる時も、図２１〜図２３に示すように、シーソー部材２の他端２Ｂと規制部材８の被係止部８Ｂとの係止状態が解除され、魚の尾びれ５０、２つの魚のひれ３’、３’も動くようになっている。
【００２６】
（実施例３）
次に示す実施例は、釣りおもちゃＴをカニの形状に適用したものである（図２４〜図３２参照）。
釣りおもちゃＴは、実施例１及び実施例２と同様に、魚介類の形状（本実施例では、カニの形状）をした本体１、シーソー部材２、回転体３を備えている。
本体１は、例えば、カニの形状を有しており、前面側半割部材１１と背面側半割部材１２を突き合わせて構成している（図２５参照）。
シーソー部材２は、本体１内に軸支され、一端を本体１の外に、他端を本体１内に位置し、常時は、他端２Ｂの側へ傾くように構成されている。シーソー部材２の一端には、環状部（リング）２ａが形成されている。この環状部２ａは、釣り糸の先端の針４（図２４参照）に係止する部位である。
【００２７】
また、図２５〜図３２に示す５は回転軸で、回転軸５は、本体１内に設けられた駆動源によって回転するもので、駆動源は、モータでも良いが、本実施例では、例えば、ゼンマイバネで、ゼンマイバネによる反発力を利用してギヤを介して回転力を回転軸５に伝達している。
なお、ゼンマイバネ、ギヤ等は上述の実施例２と同様なもので、ボックスＢ内に設けられている。図２５に示す６は、ゼンマイバネを巻く摘みであり、６ａは、ゼンマイバネを巻く軸である。
【００２８】
また、回転軸５は、図２６及び図２７に示すように、平坦な遊技面（例えば、テーブル、机、床等）７に対して略水平方向に設けられている。
そして、回転軸５の中途に回転体３が複数（例えば、２個）設けられ、回転軸５の先端は、本体１より突出し、回転軸５の先端に回転体の中心より偏位した位置に第１の突出部ｔ１が設けられている。
また、図２５に示す６０は、本体１内に設けられた移動体で、移動体６０には、本体１の両側よりカニの足６１、６１が、本体１の頂部よりカニの目６２が、それぞれ突出すると共に、カニの爪７０に接続される伝達部６３が設けられている。
なお、カニの爪７０は、本体１の上方コーナーより突出し、カニの爪７０は本体１内で支持され、揺動自在に設けられている。図３０に示すＣはカニの爪７０の揺動の支点であり、Ｄはカニの爪７０の揺動の作用点である。
また、移動体６０には、平坦な遊技面７に沿って長い横長穴６４（図２６参照）と、この横長穴６４より上方に位置すると共に、横長穴６４に対して略垂直方向に長い縦長穴６５と、がそれぞれ設けられている。また、図２６に示すｔ２は回転軸５の長手方向に略平行な第２の突出部で、第２の突出部ｔ２は、本体１内に設けられている。
そして、横長穴６４に第１の突出部ｔ１が、縦長穴６５に第２の突出部ｔ２が、それぞれ係止し、回転軸５の回転を第１の突出部ｔ１を介して移動体６０に伝達すると共に、移動体６０の移動を縦長穴６５で規制して、移動体６０を横長穴６４に対して略垂直方向に上下方向に移動させるようにしている。
【００２９】
また、８は規制部材（ストッパー）で、規制部材８は、回転軸５に接続され、シーソー部材２の軸支された部位２Ａとシーソー部材の他端２Ｂに係止して、回転軸５の回転を阻止するようになっている。他端２Ｂは、規制部材８の被係止部８Ｂに係止する。
【００３０】
従って、上述した釣りおもちゃＴによれば、環状部２ａに釣り糸の先端の針７が当たると、図２８の状態から図２９の状態、つまり、シーソー部材２のシーソー部材の他端２Ｂと規制部材８の被係止部８Ｂとの係止状態が解除され、回転軸５の回転が回転体３に伝達される。
その結果、釣りおもちゃＴが動きだして逃げ回るため、釣り糸の先端の針７を環状部２ａに引っかけることが容易でなく、釣り体験遊戯のおもしろさを増幅させることができる。 
また、釣りおもちゃＴが回転体３により動きだして逃げ回る際、図３０〜図３２に示すように、本体１の両側より突出する２つのカニの足６１，６１、本体１の頂部より突出するカニの目６２及び本体１の上方コーナーより突出するカニの爪７０がそれぞれ動くため、釣り体験遊戯のおもしろさをより一層得ることができる。
【符号の説明】
【００３１】
Ｔ      釣りおもちゃ
１      本体
２      シーソー部材
３      回転体
５      回転軸
８      規制部材
【図１】
0005576767.tif 000002
【図２】
0005576767.tif 000003
【図３】
0005576767.tif 000004
【図４】
0005576767.tif 000005
【図５】
0005576767.tif 000006
【図６】
0005576767.tif 000007
【図７】
0005576767.tif 000008
【図８】
0005576767.tif 000009
【図９】
0005576767.tif 000010
【図１０】
0005576767.tif 000011
【図１１】
0005576767.tif 000012
【図１２】
0005576767.tif 000013
【図１３】
0005576767.tif 000014
【図１４】
0005576767.tif 000015
【図１５】
0005576767.tif 000016
【図１６】
0005576767.tif 000017
【図１７】
0005576767.tif 000018
【図１８】
0005576767.tif 000019
【図１９】
0005576767.tif 000020
【図２０】
0005576767.tif 000021
【図２１】
0005576767.tif 000022
【図２２】
0005576767.tif 000023
【図２３】
0005576767.tif 000024
【図２４】
0005576767.tif 000025
【図２５】
0005576767.tif 000026
【図２６】
0005576767.tif 000027
【図２７】
0005576767.tif 000028
【図２８】
0005576767.tif 000029
【図２９】
0005576767.tif 000030
【図３０】
0005576767.tif 000031
【図３１】
0005576767.tif 000032
【図３２】
0005576767.tif 000033